(57)【要約】【課題】安価且つ簡易な構成で、装置本体の運搬性の悪化を抑制することができる画像形成装置を提供する。【解決手段】画像形成ユニット４の底面に、着地面１０に着地する着地足７、８を備えている画像形成装置において、上記着地足７、８の着地面１０に接触しない側面７ａ、８ａは、上記着地面１０との間の傾斜角度θが鋭角となるように傾斜している。これにより、運搬時に、着地足７、８は着地面１０の凸部１１などの段差を乗り越えやすくなる。【選択図】図１
2014170063.tif 000002
【特許請求の範囲】
【請求項１】
装置本体の底面に被設置物の着地面に着地する着地足を備えている画像形成装置において、
上記着地足の着地面に接触しない側面の少なくとも一部は、上記着地面との間の角度が鋭角となるように傾斜していることを特徴とする画像形成装置。
【請求項２】
請求項１の画像形成装置において、
上記着地足の傾斜している側面と上記着地面との間の角度は、４５°以下であることを特徴とする画像形成装置。
【請求項３】
請求項１又は２の画像形成装置において、
装置本体を作業者が運搬するための運搬用把手部材を少なくとも一方側面側に有し、
上記複数ある着地足のうち、他方側面側に配置される着地足の上記把手部材と対向する側面のみに傾斜を設けることを特徴とする画像形成装置。
【発明の詳細な説明】
【技術分野】
【０００１】
本発明は、装置本体の底面に着地足を有する画像形成装置に関するものである。
【背景技術】
【０００２】
スキャナ、ファクシミリ、複写機などの画像形成装置は、その装置本体が単体でテーブルに載置されたり、オプションである給紙装置に載置されたり様々な形態で設置されている。その設置方法は、例えば、図４及び図５に示すように、一般的に装置本体１００の底面に複数の着地足１０１、１０２を設け、この着地足１０１、１０２を床面１１０や給紙装置１１１などの被設置物に着地させている。この着地足１０１、１０２の高さは、床面１１０や給紙装置１１１などの被設置物を傷付けてしまわないように設定されている。例えば、着地足１０１、１０２の高さｈ１は、装置本体１００の底面に設けられた突起物１０３の高さｈ２や、床面１１０着地面の平面度ｐ１を考慮して、ｈ１＞ｈ２＋ｐ１となるように設定されている。
【発明の概要】
【発明が解決しようとする課題】
【０００３】
しかしながら、図４に示すように、従来の着地足１０１の側面は着地面に対して概ね垂直となるように形成されている。着地足には、一般的に被設置物を傷付けないように樹脂材料が用いられ、成型時に金型から抜きやすいように側面に若干の傾斜が付けられているが、その傾斜角度は極めて小さいものである。その結果、装置本体１００としては持ち上げて運搬することが前提となっていたとしても運搬時に引き摺ることがあり、「着地足が着地面の段差に引っ掛かり運搬性が悪い」、「着地足が着地面の段差に引っ掛かり着地足が外れてしまう」などの問題があった。
【０００４】
これらの問題の対策として、図５に示すように、着地足１０２として転動可能なキャスターを用いることが挙げられるが、図４に示す着地足１０１などを用いる場合に比べコストアップになってしまう。また、画像形成装置は、装置本体がテーブルに載置されたり、オプション機器に載置されたりと、様々な形態で載置されるため、その形態によっては転動可能なキャスターは無駄になってしまうという問題がある。
【０００５】
本発明は以上の問題点に鑑みなされたものであり、その目的は、安価且つ簡易な構成で、装置本体の運搬性の悪化を抑制することができる画像形成装置を提供することである。
【課題を解決するための手段】
【０００６】
上記課題を解決するため、本発明は、装置本体の底面に被設置物の着地面に着地する着地足を備えている画像形成装置において、上記着地足の着地面に接触しない側面の少なくとも一部は、上記被設置物の着地面との間の角度が鋭角となるように傾斜していることを特徴とするものである。
【発明の効果】
【０００７】
本発明は、運搬時に引き摺るなどしても、着地足の側面に傾斜を付けるという安価且つ簡易な構成により着地足が着地面の段差などを乗り越えやすくなり、運搬性の悪化を抑制することができる。
【図面の簡単な説明】
【０００８】
【図１】本実施形態に係る複写機の概略構成を示す構成図。
【図２】着地足の近傍の様子を説明する模式図。
【図３】別の実施形態に係る複写機の概略構成を示す構成図。
【図４】従来の複写機の概略構成を示す構成図。
【図５】従来の複写機の概略構成を示す構成図。
【発明を実施するための形態】
【０００９】
以下、本発明を適用した画像形成装置である複写機の実施形態について具体的に説明する。図１は、本実施形態に係る複写機の概略構成を示す構成図である。図１に示すように、本実施形態に係る複写機１は、原稿を搬送する自動原稿搬送装置２と、原稿の画像を読み取る画像読取部を備えたスキャナ３と、スキャナ３により読み取られた原稿の画像を記録媒体たる記録紙に記録する画像形成ユニット４を備えている。自動原稿搬送装置２は、スキャナ３上に図示しない開閉機構（例えばヒンジ）を介して開閉自在に取り付けられ、スキャナ３は、画像形成ユニット４の上部に固定されている。また、この複写機１は、画像形成ユニット４に様々なサイズの記録紙を供給するために多段に配設された給紙トレイ５ａ、５ｂを備えている。また、この複写機１は、画像形成ユニット４により画像を形成された記録紙を排出する排紙トレイ６、ユーザーによる入力操作及びユーザーへの報知を行う図示しない操作部なども備えている。なお、画像形成ユニット４の構成については、従来公知の電子写真方式、インクジェット方式等の方式を採用することができ、その詳細な説明は省略する。
【００１０】
そして、画像形成ユニット４の略矩形状の底面の四隅には、被設置物たる床面を着地面１０とし、着地面１０に着地するようにそれぞれひとつずつ着地足７、８（背面側のふたつの着地足については図示せず）が付設されている。図２は、着地足の近傍の様子を説明する模式図である。図１及び図２に示すように、これらの着地足７、８は、略円柱状に形成され、着地面１０と着地面１０に接触しない側面との間の角度（以下、傾斜角度という）θが鋭角となるように側面７ａ、８ａが傾斜している。なお、本実施形態に係る着地足７、８は、略円柱形状としたが、略角柱形状であってもよいことは言うまでもない。
【００１１】
ところで、図１及び図２に示すように、複写機１を図中右方向に力Ｆで引き動かそうとすると、着地足７、８が床面の凸部１１や凹部１２や突起物１３などの段差と干渉し引っ掛かってしまうことがある。このとき、着地足７、８の側面７ａ、８ａが傾斜していれば、例えば図２に示すように、着地足７の突起物１３との接点には、図中右方向に働く力ｆ１と、図中上方に持ち上がろうとする力ｆ２とが働くことになる。着地足の側面が着地面に対して略垂直に形成される場合には、図中右方向に力Ｆで複写機を引き動かそうとしても、着地足には、図中右方向の力Ｆの反力のみがかかるだけとなり、着地足を破損させてしまう。これに対して、着地足７、８の側面７ａ、８ａを傾斜させることにより、引き動かす力Ｆによって着地足７が着地面１０の突起物１３を乗り越えやすくなる。つまり、運搬時に複写機１を引き摺っても運搬性が悪くなることを抑制することができるのである。
【００１２】
ここで、図２に示すように、着地足７の側面７ａの傾斜角度θが４５°であれば、複写機１を図中右方向に力Ｆで引き動かそうとするとき、着地足７には、図中右方向に働く力ｆ１と、図中上方に持ち上がろうとする力ｆ２とが同じ大きさでかかることになる。よって、着地足７の側面７ａの傾斜角度θを４５°以下とすることにより、持ち上がろうとする力ｆ２の方を、図中右方向の力ｆ１より大きくすることができ、着地足７が破損する前に着地足７が突起物１３を乗り越えることがきるのである。
【００１３】
しかし、着地足７、８の側面７ａ、８ａの傾斜角度θを小さくすると、着地足７、８の着地領域ａに対して、着地足７、８が画像形成ユニット４を支持する支持領域ｂが大きくなり、着地足７、８の占有領域が大きくなってしまう。これにより、機器構成上の制約が生じることになる。例えば、図２に示す構成の着地足７では、画像形成ユニット４の外形から寸法ｃだけ内側に入った領域に着地領域ａが設定される。一般に、給紙装置などの被設置物のフレーム強度は、外形に近い領域で強度を有している。そのため、給紙装置などの被設置物上に設置される場合には、着地領域ａに合わせてフレームに補強部材を設置する必要が出てきてしまい、コストも上昇してしまう。
【００１４】
そこで、本実施形態に係る装置本体においては、着地足の側面全域に亘って傾斜をもたせなくてもよい。図３は、別の実施形態に係る複写機の構成を示す構成図である。なお、図３中、上述した部材と同一構成部材には同一符号を付し説明を省略する。図３に示す複写機２０は、画像形成ユニット４の左右側面に、複写機２０を運搬するための把手２１、２２が取り付けられている。そして、把手２１が取り付けられている右側面とは反対側の左側面側に位置する着地足２３の把手２１と対向する側面２３ａに傾斜がつけられている。同様に、把手２２が取り付けられている左側面とは反対側の右側面に位置する着地足２４の把手２２と対向する側面２４ａに傾斜が付けられている。
【００１５】
着地足２３、２４の側面２３ａ、２４ａに設ける傾斜の領域を限定することにより、着地面１０の凸部１１や凹部１２などの段差に引っ掛かりやすくなるようにみられる。しかし、一般的に着地面１０を滑らせて複写機２０を運ぶ時には、把手２１を引き動かす力Ｆの方向は、図中矢印方向で示すように斜め方向になる。そのため、把手２１近傍の着地足２４については着地面１０の凸部１１を乗り越えることが容易である。よって、把手２１から離れている着地足２３の把手２１と対向する側面２３ａのみ傾斜を付けることにより、運搬性を損なわずに着地足２３の占有領域を小さくすることができるのである。同様に、把手２２から離れている着地足２４の把手２２と対向する側面２４ａのみ傾斜を付けることにより、運搬性を損なわずに着地足２４の占有領域を小さくすることができるのである。その結果、着地足２３、２４の大型化によるコスト上昇、それに伴うオプション装置の補強によるコスト上昇も抑制することができるのである。なお、図３に示す複写機２０では、画像形成ユニット４の左右側面に把手２１、２２を設けたが、把手は画像形成ユニット４の前後側面に設けてもよい。その場合も、上述したように、着地足の側面の全領域に傾斜を付けずに、一部のみに傾斜を設けることにより、運搬性の悪化を抑制することができるのである。
【００１６】
なお、本実施形態に係る着地足７、８には、着地面１０を傷付けてしまわないように樹脂材料を用いるとよい。樹脂材料には、従来公知のものを用いることができ、特に限定されるものではない。
【００１７】
以上に説明したものは一例であり、本発明は、次の態様毎に特有の効果を奏する。
（態様Ａ）
複写機１（画像形成ユニット４）などの装置本体の底面に床面などの被設置物の着地面１０などの着地面に着地する着地足７、８などの着地足を備えている画像形成装置において、上記着地足の着地面に接触しない側面７ａ、８ａなどの側面の少なくとも一部は、上記着地面との間の角度が鋭角となるように傾斜している。
これによれば、上記実施形態で説明したように、着地足の側面に傾斜を付けるという安価且つ簡易な構成により、着地足が着地面の段差などを乗り越えやすくなり、運搬性の悪化を抑制することができる。
（態様Ｂ）
（態様Ａ）の画像形成装置において、上記着地足の傾斜している側面と上記着地面との間の角度は、４５°以下である。
これによれば、上記実施形態で説明したように、運搬時に着地足が側面の段差などに引っ掛かっても、着地足を破損させずに段差を乗り越えやすくなる。
（態様Ｃ）
（態様Ａ）又は（態様Ｂ）の画像形成装置において、装置本体を作業者が運搬するための把手２１、２２などの運搬用把手部材を少なくとも一方側面側に有し、上記複数ある着地足２３、２４などの着地足のうち、他方側面側に配置される着地足の上記把手部材と対向する側面２３ａ、２４ａなどの側面のみに傾斜を設ける。
これによれば、上記実施形態で説明したように、着地足の占有面積を小さくすることができるので、着地足の大型化によるコスト上昇や、それに伴うオプション装置の補強によるコスト上昇などを抑制することができる。
【符号の説明】
【００１８】
１  複写機
２  自動原稿搬送装置
３  スキャナ
４  画像形成ユニット
５  給紙トレイ
６  排紙トレイ
７、８  着地足
１０  着地面
２０  複写機
２１，２２  把手
２３，２４  着地足
【図１】
2014170063.tif 000003
【図２】
2014170063.tif 000004
【図３】
2014170063.tif 000005
【図４】
2014170063.tif 000006
【図５】
2014170063.tif 000007